(57)【特許請求の範囲】
【請求項１】
連結される一対の笠木の対向端面間の隙間を表側から覆い隠す表面部、
前記表面部の両端部から延びて前記隙間を左右両側方からそれぞれ覆い隠す左右一対の側面部、及び
前記表面部から裏側方向に延設されて、笠木の表側から前記隙間に入り込む表面部側挿入面部、
を有する第１部材と、
前記側面部の先端部から延びて前記隙間の階段壁壁面より露出する部分を裏側からそれぞれ覆い隠す左右一対の裏面部、及び
前記裏面部から表側方向に延設されて、笠木の裏側から前記隙間の階段壁壁面より露出する部分に入り込む挿入部位、及び前記挿入部位から反対側の側方に延びる延長部位からなる裏面部側挿入面部、
を有する第２部材と、
を含む、階段壁の端面に取り付けられる該端面より幅広とされた笠木の連結部材；
並びに、
前記笠木の連結部材を介して、側面視で１２５〜１４０°の角度をなした状態で連結された前記階段壁の垂直端面上の笠木と傾斜端面上の笠木；
を含む構造。
【請求項２】
連結される一対の笠木の対向端面間の隙間を表側から覆い隠す表面部、
前記表面部の両端部から延びて前記隙間を左右両側方からそれぞれ覆い隠す左右一対の側面部、及び
前記表面部から裏側方向に延設されて、笠木の表側から前記隙間に入り込む表面部側挿入面部、
を有する第１部材と、
前記側面部の先端部から延びて前記隙間の階段壁壁面より露出する部分を裏側からそれぞれ覆い隠す左右一対の裏面部、及び
前記裏面部から表側方向に延設されて、笠木の裏側から前記隙間の階段壁壁面より露出する部分に入り込む挿入部位、及び前記挿入部位から反対側の側方に延びる延長部位からなる裏面部側挿入面部、
を有する第２部材と、
を含む、階段壁の端面に取り付けられる該端面より幅広とされた笠木の連結部材；
並びに、
前記笠木の連結部材を介して、平面視でＬ字状に連結された前記階段壁の水平端面上の２つの笠木；
を含む構造。
【請求項３】
連結される一対の笠木の対向端面間の隙間を表側から覆い隠す表面部、
前記表面部の両端部から延びて前記隙間を左右両側方からそれぞれ覆い隠す左右一対の側面部、及び
前記表面部から裏側方向に延設されて、笠木の表側から前記隙間に入り込む表面部側挿入面部、
を有する第１部材と、
前記側面部の先端部から延びて前記隙間の階段壁壁面より露出する部分を裏側からそれぞれ覆い隠す左右一対の裏面部、及び
前記裏面部から表側方向に延設されて、笠木の裏側から前記隙間の階段壁壁面より露出する部分に入り込む挿入部位、及び前記挿入部位から反対側の側方に延びる延長部位からなる裏面部側挿入面部、
を有する第２部材と、
を含む、階段壁の端面に取り付けられる該端面より幅広とされた笠木の連結部材；
並びに、
前記笠木の連結部材を介して、側面視でＬ字状に連結された前記階段壁の水平端面上の笠木と垂直端面上の笠木；
を含む構造。
【発明の詳細な説明】
【技術分野】
【０００１】
本発明は、階段壁に取り付けられる笠木と笠木の連結部材とを含む構造に関し、階段用部材の技術分野に属する。
【背景技術】
【０００２】
従来、廊下側と階段側とを仕切る階段壁の端面に、この端面より幅広の笠木を取り付ける場合、図１０に示すように、階段壁Ａに固定された一対の笠木Ｂ１，Ｂ２の対向端面間に隙間Ｇが生じ、見栄えを損なうことがある。
【０００３】
この問題に対処可能な取付構造として、例えば特許文献１に開示のものがある。この特許文献１に記載の技術では、図１０及び図１１に示すように、階段壁Ａ上の一対の笠木Ｂ１，Ｂ２を連結する連結部材Ｃ１を使用し、この連結部材Ｃ１を弾性体とし、かつ、笠木Ｂ１，Ｂ２の対向端面間の隙間Ｇを、表側から覆い隠す表面部Ｃ１１と、側方から覆い隠す左右一対の側面部Ｃ１２，Ｃ１２と、裏側から覆い隠す左右一対の裏面部Ｃ１３，Ｃ１３と、表側から隙間Ｇに入り込む挿入面部Ｃ１４とで構成する。そして、弾性を利用して裏面部Ｃ１３，Ｃ１３を押し広げながら挿入面部Ｃ１４を前記隙間Ｇに差し込むことにより、矢印ａ（図１０（ａ）において紙面に向かって垂直方向）で示す表側、矢印ｂで示す側方、及び矢印ｃ（図１０（ｂ）において紙面に向かって垂直方向）で示す裏側のいずれの方向から見たときにも隙間Ｇは覆い隠され、見栄えが改善されるようになる。
【０００４】
しかしながら、弾性体でなる連結部材Ｃ１であるため、取付状態で下側に位置する裏面部Ｃ１３，Ｃ１３は、自重等によって長期の使用中に変形することがあり、その場合には裏側からの見栄えを損なうことになる。そこで、この問題を解消する連結部材として特許文献２に開示のものがある。図１２に示すように、この場合の一対の笠木Ｂ１，Ｂ２を連結する連結部材Ｃ２は、前記連結部材Ｃ１に類似の形状とされた上で、木質材料や金属材料のような硬質材料も適用可能とされているので、前述した変形問題は効果的に解消され、長期の使用に耐え得るものとなる。
【０００５】
【特許文献１】実開平６−４７４５３号公報
【特許文献２】特開２００４−３００７６６号公報
【発明の開示】
【発明が解決しようとする課題】
【０００６】
ところで、前記連結部材Ｃ１，Ｃ２は、一体成形されたものであることから、笠木Ｂ１，Ｂ２の表裏方向の厚みが変動した場合に調整代がなく、例えば図１２に示すように、笠木Ｂ１，Ｂ２の厚みが薄いと、その裏面側と連結部材Ｃ２の裏面部Ｃ２３との間に隙間Ｇ′が生じて収まりの悪い連結箇所となり、結局見栄えも悪くなってしまう。
【０００７】
そこで、本発明は、長期にわたって良好な見栄えが確保される笠木と笠木の連結部材とを含む構造の提供を課題とする。
【課題を解決するための手段】
【０００８】
前記課題を解決するため、本発明は次のように構成したことを特徴とする。
【０００９】
即ち、本発明は、階段壁の端面に取り付けられる前記端面より幅広とされた笠木の連結部材を含む構造であって、連結される一対の笠木の対向端面間の隙間を表側から覆い隠す表面部、前記表面部の両端部から延びて前記隙間を左右両側方からそれぞれ覆い隠す左右一対の側面部、及び前記表面部から裏側方向に延設されて、笠木の表側から前記隙間に入り込む表面部側挿入面部、を有する第１部材と、前記側面部の先端部から延びて前記隙間の階段壁壁面より露出する部分を裏側からそれぞれ覆い隠す左右一対の裏面部、及び前記裏面部から表側方向に延設されて、笠木の裏側から前記隙間の階段壁壁面より露出する部分に入り込む挿入部位、及び前記挿入部位から反対側の側方に延びる延長部位からなる裏面部側挿入面部、を有する第２部材と、を含むこと、を特徴とする。
【００１０】
ここで、本発明の笠木の連結部材を含む構造においては、前記第２部材は第１部材とは別体として形成されている。つまり、本発明の笠木の連結部材は、第１部材と第２部材とで構成されている。このとき、第２部材は、左右一対の２部材である。
【００１１】
次に、上記本発明の笠木の連結部材を含む構造においては、前記左右一対の裏面部が、単一部材で構成されており、前記隙間に入り込む裏面部側挿入面部を有していてもよい。この場合、第２部材は単一の部材となる。
【００１２】
また、上記本発明の笠木の連結部材を含む構造においては、前記表面部の裏面における前記表面部側挿入面部両側の部分のなす角度が、連結される笠木が側面視でなす角度に対応するように設定されているのが好ましい。
【発明の効果】
【００１３】
階段壁の端面に、これより幅広の笠木が取り付けられている場合に、連結される一対の笠木の対向端面間に隙間が生じると見栄えが悪いが、請求項１に記載の本発明によれば、笠木の連結に用いられる連結部材において、表面部側挿入面部が笠木の表側から隙間に入り込んで取付状態が安定した上で、表面部と側面部と裏面部とが隙間を覆い隠すので、良好な見栄えの連結箇所が実現する。また、裏面部は表面部、側面部、及び表面部側挿入面部とは別体とされているので、配設位置が表裏方向に調節可能となって笠木の連結箇所における収まり具合がよくなる。なお、裏面部を硬質材料で形成すれば、変形し難くなり、もって長期にわたって良好な見栄えが確保される。
【００１４】
加えて、本発明の笠木の連結部材は、裏面部は表側方向に延設されて笠木の裏側から前記隙間に入り込む裏面部側挿入面部を有するので、取付状態のさらなる安定化に寄与する。その場合、裏面部側挿入面部が挿入部位と延長部位とで構成されていて、延長部位が左右方向に延びているので、前記隙間に入り込む部分が増えて取付状態の安定化が一層助勢され、かつ、階段壁の端面に係合して脱落防止に効果的となる。
【００１５】
また、本発明の笠木の連結部材においては、左右一対の裏面部が挿入面部で結合されていてもよく、この場合、前記隙間に入り込む部分がさらに増えて取付状態の安定化が増強されると共に、部材点数が少なくて済む。
【００１６】
そして、本発明の笠木の連結部材においては、連結部材の表面部の裏面における裏面部側挿入面部両側の部分のなす角度が、連結される笠木が側面視でなす角度に対応しているのが好ましく、この場合、笠木の連結箇所における収まり具合が一層よくなる。
【発明を実施するための最良の形態】
【００１７】
以下、本発明の実施の形態について説明する。
図１に示すように、廊下１側と階段２側とを仕切る階段壁３の端面に、この端面より若干幅広板状の複数の笠木１１〜１５が取り付けられている。また、図例の階段壁３は、矢印Ｘで示す勾配コーナー、矢印Ｙで示す水平コーナー、及び矢印Ｚで示す垂直コーナーを有している。
【００１８】
勾配コーナーＸでは、階段壁３の垂直端面上の笠木１１と傾斜端面上の笠木１２とが、側面視で通常１２５°〜１４０°の角度をなした状態で連結部材２０で連結されている。水平コーナーＹでは、階段壁３の水平端面上の笠木１３と同じく水平端面上の笠木１４とが、平面視Ｌ字状態で別なる連結部材３０で連結されている。そして、垂直コーナーＺでは、階段壁３の水平端面上の笠木１４と垂直端面上の笠木１５とが、側面視Ｌ字状態で前記連結部材２０で連結されている。
【００１９】
まず、勾配コーナーＸに適用される連結部材２０について説明すると、図２〜図４に示すように、硬質合成樹脂製の連結部材２０は、１つの第１部材２１と２つの第２部材２２，２２とで構成されている。
【００２０】
第１部材２１は、階段壁３の端面に取り付けられる一対の笠木１１，１２の対向端面間の隙間Ｇを矢印ａ（図２（ａ）において紙面に向かって垂直方向）で示す表側から覆い隠す表面部２３と、この表面部２３の両端部から延びて前記隙間Ｇを矢印ｂで示す左右両側方からそれぞれ覆い隠す左右一対の側面部２４，２４と、前記表面部２３から裏側方向に延設されて表側から前記隙間Ｇに入り込む表面部側挿入面部２５とを有しており、これらが一体に成形されている。
【００２１】
その場合、第１部材２１の幅寸法ｗ１は、前記隙間Ｇを覆い隠すことができる寸法に設定されている。また、表面部側挿入面部２５の表裏方向の寸法は、笠木１１，１２の端面の同方向の寸法より小さく設定されている。また、表面部２３及び側面部２４，２４の外面は、曲面とされており、良好な手触りが得られるようになっている。
【００２２】
そして、第１部材２１の表面部２３の裏面における表面部側挿入面部２５両側の部分２３ａ，２３ａのなす角度αが、連結される笠木１１，１２が側面視でなす角度βに対応するように設定されている（図４参照）。角度αは角度β以下であり、図例では、角度αは９０°、角度βは１２５°を示しているが、この第１部材２１は、角度βが９０°〜１４０°に適用可能とされている。なお、角度βが９０°とは、図１に示した垂直コーナーＺに対応する。
【００２３】
一対の第２部材２２，２２は、第１部材２１の裏側で階段壁３を挟むように左右に配設されており、各第２部材２２は、第１部材２１の側面部２４の先端部から延びて前記隙間Ｇの階段壁３壁面より露出する部分を矢印ｃ（図２（ｂ）において紙面に向かって垂直方向）で示す裏側から覆い隠す裏面部２６と、この裏面部２６から表側方向に延設されて裏側から前記隙間Ｇに入り込む裏面部側挿入面部２７とを有している。
【００２４】
その場合、第２部材２２の幅寸法ｗ２は、前記隙間Ｇを覆い隠すことができる寸法に設定されており、前記第１部材２１の幅寸法ｗ１より小さい。また、裏面部側挿入面部２７は、前記隙間Ｇの階段壁３壁面より露出する部分に入り込む挿入部位２７ａと、この挿入部位２７ａから反対側の側方に延びる延長部位２７ｂとを有しており、かつ、後者の延長部位２７ｂの表裏方向の寸法は、前者の挿入部位２７ａに比較して小さく、表側にオフセットしており、裏面部側挿入面部２７としては、平面視Ｌ字状に形成されている（図３参照）。また、裏面部２６の外面は、曲面とされている（図４参照）。
【００２５】
そして、各第２部材２２の裏面部２６を笠木１１，１２にあてがった状態で、各第２部材２２の裏面部側挿入面部２７は、表面部２３を笠木１１，１２にあてがった状態の第１部材２１の表面部側挿入面部２５と干渉しない寸法関係に設定されている。すなわち、取付状態で、互いに対向する第１部材２１の表面部側挿入面部２５と第２部材２２の表面部側挿入面部２７との間に、若干の隙間が設けられるようになっている。
【００２６】
第２部材２２の配設方法例につき、図５を用いて説明する。すなわち、第１部材２１は、表面部２３が階段壁３上の笠木１１，１２に表側からあてがわれている。そして、図５（ａ）に示す場合、第２部材２２は、裏面部２６が笠木１１，１２に裏側からきっちりとあてがわれており、黒三角印で示すように、この裏面部２６は、第１部材２１の側面部２４の先端部から裏側方向に突出することはなく、若干入り込んで位置する。一方、図５（ｂ）に示す場合、第２部材２２の裏面部２６は、笠木１１，１２にきっちりとあてがわれる代わりに、黒三角印で示すように、第１部材２１の側面部２４の先端部に位置合わせされている。これは、第２部材２２の裏面部側挿入面部２７が、前述した平面視Ｌ字状に形成されていることを利用したもので、いずれかの方法を採用することができる。なお、図５（ｂ）の場合、第２部材２２の裏面部２６は、笠木１１，１２間の隙間Ｇに入り込む裏面部側挿入面部２７を備えているので、図１２に示したような隙間Ｇ′はこの裏面部側挿入面部２７で塞がれることになり、見栄えを損なうことはない。
【００２７】
次に、連結部材の変形例について説明すると、図６に示すように、この場合の硬質合成樹脂製の連結部材２０′は、階段壁３の端面に取り付けられる一対の笠木１１，１２の対向端面間の隙間Ｇ（図示せず）を矢印ａで示す表側から覆い隠す表面部２３と、この表面部２３の両端部から延びて前記隙間Ｇを矢印ｂで示す左右両側方からそれぞれ覆い隠す左右一対の側面部２４，２４と、前記表面部２３から裏側方向に延設されて表側から前記隙間Ｇに入り込む表面部側挿入面部２５とを有する前記第１部材２１と、新たな構成の第２部材２２′とで構成されている。
【００２８】
この第２部材２２′は、単一部材で構成され、前記隙間Ｇの階段壁３より露出する部分を矢印ｃで示す裏側から覆い隠す左右一対の部分２６′，２６′と、裏側から前記隙間Ｇに入り込む裏面部側挿入面部２７′とを有する。
【００２９】
次に、水平コーナーＹに適用される連結部材３０について説明すると、図７〜図９に示すように、硬質合成樹脂製の連結部材３０は、１つの第１部材３１と２つの第２部材３２，３２″とで構成されている。
【００３０】
第１部材３１は、階段壁３の端面に取り付けられる一対の笠木１３，１４の対向端面間の隙間Ｇを矢印ａで示す表側から覆い隠す表面部３３と、この表面部３３の両端部から延びて前記隙間Ｇを矢印ｂで示す左右両側方からそれぞれ覆い隠す左右一対の側面部３４，３４″と、前記表面部３３から裏側方向に延設されて表側から前記隙間Ｇに入り込む表面部側挿入面部３５とを有している。
【００３１】
その場合、第１部材３１の幅寸法ｗ１は、前記隙間Ｇを覆い隠すことができる寸法に設定されている。また、表面部側挿入面部３５の表裏方向の寸法は、笠木１３，１４の端面の同方向の寸法より相当小さく設定されている。また、表面部３３の外面は、曲面とされており、良好な手触りが得られるようになっている。また、側面部３４，３４″は、出隅側（図７で左側）と入隅側（同じく右側）とで異なる形状とされており、出隅側の側面部３４は、外面が曲面とされると共に内面に凹部が設けられており、入隅側の側面部３４″は外面が平面とされると共に内面に凸部が設けられている（図９参照）。
【００３２】
そして、前記勾配コーナーＸにおけると同様に、第１部材３１の表面部３３の裏面における表面部側挿入面部３５両側の部分３３ａ，３３ａのなす角度αが、連結される笠木１３，１４が側面視でなす角度βに対応するようにされている（図８参照）。すなわち、この場合の前記角度αは１８０°であり、前記角度βも１８０°である。
【００３３】
一対の第２部材３２，３２″は、第１部材３１の裏側で階段壁３を挟むように左右に配設されており、各第２部材３２，３２″は、第１部材３１の側面部３４，３４″の先端部から延びて前記隙間Ｇの階段壁３壁面より露出する部分を矢印ｃで示す裏側から覆い隠す裏面部３６，３６″と、この裏面部３６，３６″から表側方向に延設されて裏側から前記隙間Ｇに入り込む裏面部側挿入面部３７，３７″とを有している。
【００３４】
その場合、第２部材３２，３２″の幅寸法ｗ２は、前記隙間Ｇを覆い隠すことができる寸法に設定されており、前記第１部材３１の幅寸法ｗ１より小さい（図８に一方の第２部材３２″について示す）。また、裏面部側挿入面部３７，３７″は、前記隙間Ｇの階段壁３壁面より露出する部分に入り込む挿入部位３７ａ，３７ａ″と、この挿入部位３７ａ，３７ａ″から反対側の側方に延びる延長部位３７ｂ，３７ｂ″とを有しており、かつ、後者の延長部位３７ｂ，３７ｂ″の表裏方向の寸法は、前者の挿入部位３７ａ，３７ａ″に比較して小さく、表側にオフセットしているのは、前記第２部材２２と同様である（図７参照）。また、裏面部３６，３６″の外面は、平面とされており、かつ、外面の両端形状は、階段壁３の形状や第１部材３１の両側面部３４，３４″の内面形状等に概ね対応したものとされている（図９参照）。
【００３５】
そして、各第２部材３２，３２″の裏面部３６，３６″を笠木１３，１４にあてがった状態で、各第２部材３２，３２″の裏面部側挿入面部３７，３７″は、表面部３３を笠木１３，１４にあてがった状態の第１部材３１の表面部側挿入面部３５と干渉しない寸法関係に設定されている。すなわち、取付状態で、第１部材３１の表面部側挿入面部３５と第２部材３２，３２″の裏面部側挿入面部３７，３７″との間に、若干の隙間が設けられるようになっている。
【００３６】
ここで、一例として、勾配コーナーＸにおける笠木１１，１２や連結部材２０の取付手順について説明する。なお、各部材１１，１２，２０の固定作業には、接着剤が使用される。
【００３７】
まず、図１に示したように、階段壁３の垂直端面に笠木１１を固定し、この笠木１１の連結端面に連結部材２０を構成する第１及び第２部材２１，２２，２２を固定する。その場合、図３、図４、及び図５（ａ）に示したように、第１部材２１の表面部２３を笠木１１の表側にあてがい、第２部材２２，２２の裏面部２６，２６を笠木１１の裏側にあてがい、表面部側挿入面部２５及び裏面部側挿入面部２７，２７を笠木１１の連結端面に固定する。
【００３８】
そして、図１及び図４に示したように、もう一方の傾斜端面側の笠木１２の連結端面を、第１部材２１の表面部側挿入面部２５及び第２部材２２，２２の裏面部側挿入面部２７，２７にあてがって固定する。
【００３９】
また、別なる取付手順を説明すると、階段壁３の垂直端面に笠木１１を、傾斜端面に笠木１２を、対向端面間に第１部材２１の表面部側挿入面部２５及び第２部材２２，２２の裏面部側挿入面部２７，２７を挿入可能に隙間Ｇを空けて固定する。
【００４０】
そして、図３を参照すれば理解されるように、一対の第２部材２２，２２を、その裏面部側挿入面部２７，２７を矢印ｂで示す左右両側方から隙間Ｇに差し込んで固定したのち、第１部材２１を、その表面部側挿入面部２５を矢印ａで示す表側から表面部２３と笠木１１，１２とが接触するまで隙間Ｇに差し込んで固定する。
【００４１】
以上のように構成したことにより、階段壁３の端面に、これより幅広の笠木１１〜１５が取り付けられている場合に、連結される一対の笠木１１〜１５の対向端面間に隙間Ｇが生じると見栄えが悪いが、笠木１１〜１５の連結に用いられる連結部材２０，２０′，３０において、表面部側挿入面部２５，３５が笠木１１〜１５の表側から隙間Ｇに入り込んで取付状態が安定した上で、表面部２３，３３と側面部２４，３４，３４″と裏面部２６，２６′，３６，３６″とが隙間Ｇを覆い隠すので、良好な見栄えの連結箇所Ｘ〜Ｚが実現する。また、裏面部２６，２６′，３６，３６″は表面部２３，３３、側面部２４，３４，３４″、及び表面部側挿入面部２５，３５とは別体とされているので、配設位置が表裏方向に調節可能となり、笠木１１〜１５の連結箇所Ｘ〜Ｚにおける収まり具合がよくなる。そして、裏面部２６，２６′，３６，３６″は硬質材料で形成されているので、変形し難くなり、もって長期にわたって良好な見栄えが確保される。
【００４２】
また、図３及び図７に示したように、裏面部２６，３６，３６″は表側方向に延設されて笠木１１〜１４の裏側から前記隙間Ｇに入り込む裏面部側挿入面部２７（２７ａ），３７（３７ａ），３７″（３７ａ″）を有するので、取付状態のさらなる安定化に寄与する。
【００４３】
その場合、裏面部側挿入面部２７，３７，３７″がさらに左右方向に延びているので、前記隙間Ｇに入り込む部分２７ｂ，３７ｂ，３７ｂ″が増えて取付状態の安定化が一層助勢され、かつ、階段壁３の端面に係合して脱落防止に効果的となる。
【００４４】
一方、図６に示したように、左右一対の部分２６′，２６′と裏面部側挿入面部２７′とが単一部材で構成されていると、前記隙間Ｇに入り込む部分がさらに増えて取付状態の安定化が増強されると共に、部材点数が少なくて済む。なお、この場合、裏面部側挿入面部２７′が階段壁３の端面で確実に係止されるので、取付後の第２部材２２′の脱落はない。
【００４５】
そして、図１、図４、及び図８に示したように、連結部材２０，３０の表面部２３，３３の裏面における表面部側挿入面部２５，３５両側の部分２３ａ，２３ａ，３３ａ，３３ａのなす角度αが、連結される笠木１１〜１５が側面視でなす角度βに対応するので、笠木１１〜１５の連結箇所Ｘ〜Ｚにおける収まり具合は一層よくなる。
【００４６】
なお、本発明は、具体的に詳述した前記実施の形態に限定されることはなく、本発明の趣旨に沿うものであればよい。
【００４７】
例えば、本発明に係る連結部材２０，２０′，３０は、図１に示した勾配コーナーＸ、水平コーナーＹ、及び垂直コーナーＺの他に、直線部分に対しても適用可能である。
【００４８】
また、前記実施の形態では、連結部材２０，２０′，３０は硬質合成樹脂製であったが、第２部材２２，２２′，３２，３２″のみ硬質合成樹脂製であってもよい。さらに、合成樹脂材料に限定されず、硬質であればよく、例えば、合成樹脂材料の他に木質材料、金属材料、及びこれらを組み合わせたものであってもよい。
【産業上の利用可能性】
【００４９】
以上説明したように、本発明によれば、長期にわたって良好な見栄えが確保される笠木の連結部材が提供される。本発明は、階段用部材の技術分野に広く好適である。
【図面の簡単な説明】
【００５０】
【図１】本発明の実施の形態に係る連結部材による笠木の連結状態を示す斜視図である。
【図２】勾配コーナーにおける連結状態を示し、（ａ）は表側から見た図、（ｂ）は裏側から見た図である。
【図３】同じく連結部材の平面図である。
【図４】図３のＩＩ−ＩＩ線による拡大断面図である。
【図５】第２部材の異なる配設方法例を説明するための一部を拡大して示す平面図で、（ａ）は裏面部を笠木にあてがった場合、（ｂ）は裏面部と第１部材の側面部の先端部とを位置合わせした場合である。
【図６】第２部材の変形例を示す図３に相当する平面図である。
【図７】水平コーナーに適用される連結部材の平面図である。
【図８】図７のＩＩＩ−ＩＩＩ線による拡大断面図である。
【図９】笠木の連結状態を裏側から見た斜視図で、（ａ）は出隅部、(ｂ)は入隅部である。
【図１０】従来の連結部材による笠木の連結状態を示し、（ａ）は表側から見た図、（ｂ）は裏側から見た図である。
【図１１】同じく連結部材の平面図である。
【図１２】従来の別なる連結部材の平面図である。
【符号の説明】
【００５１】
３    階段壁
１１〜１５    笠木
２０，２０′，３０          連結部材
２３，３３    表面部
２４，３４，３４″    側面部
２５，３５    表面部側挿入面部（表面部に延設された挿入面部）
２６，２６′，３６，３６″    裏面部
２７，２７′，３７，３７″    裏面部側挿入面部（裏面部に延設された挿入面部）
Ｇ    隙間
【図１】
0005395230.tif 000002
【図２】
0005395230.tif 000003
【図３】
0005395230.tif 000004
【図４】
0005395230.tif 000005
【図５】
0005395230.tif 000006
【図６】
0005395230.tif 000007
【図７】
0005395230.tif 000008
【図８】
0005395230.tif 000009
【図９】
0005395230.tif 000010
【図１０】
0005395230.tif 000011
【図１１】
0005395230.tif 000012
【図１２】
0005395230.tif 000013